(57)【要約】【課題】ユーザに、レーベルを付したＢＤをプレーヤに装着せずに、ＢＤ内の全番組のタイトルを番組数に関わらず的確に把握させること可能なタブレット端末１００を実現する。【解決手段】タブレット端末１００では、レーベル作成・登録制御部１０４が、録画番組群を記録済みのＢＤを装着したＢＤレコーダ２００から、その録画番組群の各タイトルを含む録画リストを取得する。制御部１０４は、ＢＤのレーベルイメージを作成し、録画リストと、レーベルイメージと、ＢＤに固有のＩＤと、を関連付けてクラウドサーバ４００に登録する。制御部１０４は、ＩＤに関連付けて登録されている録画リストとレーベルイメージとのペアをサーバ４００から取得して、表示部１０８に表示する。【選択図】図１
2014022955.tif 000002
【特許請求の範囲】
【請求項１】
１つ以上の録画番組が記録されている着脱可能な記録媒体を装着した録画装置から、上記１つ以上の録画番組について各番組名を含む録画番組リストを取得する第１取得手段と、
上記記録媒体に付すレーベル用の画像を作成する画像作成手段と、
上記録画番組リストと、上記画像と、上記記録媒体に固有の値と、を関連付けて、画像管理サーバに登録する登録手段と、
ユーザの操作に基づいて、上記画像管理サーバに登録済みの１対以上の上記録画番組リストと上記画像とのペアを上記画像管理サーバから取得して、上記１対以上のペアを表示部に表示する表示制御手段と、を備えていることを特徴とするレーベル画像管理装置。
【請求項２】
上記記録媒体に固有の値を含むテキスト情報を図形パターンとして示した幾何学コードを生成する生成手段をさらに備え、
上記レーベル用の画像として、上記幾何学コードの像を含むような画像を作成するように上記画像作成手段が構成されており、
ユーザの撮像操作に基づいて、撮像画像を生成する撮像手段と、
上記撮像手段により上記幾何学コードを被写体とする撮像画像が生成された場合に、当該幾何学コードから上記テキスト情報を復号する復号手段と、をさらに備え、
上記表示制御手段は、上記復号手段が上記テキスト情報を復号した場合に、復号で得られた上記固有の値を上記画像管理サーバに送信することで、上記表示部に表示する上記１対以上のペアとして、当該固有の値に関連付けられている録画番組リストと画像とからなる１対のペアを取得する、ことを特徴とする請求項１に記載のレーベル画像管理装置。
【請求項３】
上記録画装置から上記録画番組を取得する第２取得手段と、
上記録画番組中からユーザの操作により指定された画像フレームを抽出する抽出手段と、をさらに備え、
上記画像作成手段は、上記画像フレームが表す画像と上記録画番組リストに含まれている各番組名とを構成要素として含む、上記レーベル用の画像を作成するように構成されている、ことを特徴とする請求項１または２に記載のレーベル画像管理装置。
【請求項４】
上記録画番組を再生する再生手段と、
ユーザの操作をトリガとして、再生中の録画番組の再生を停止する再生停止手段と、をさらに備え、
上記抽出手段は、上記再生が停止する直前に上記再生手段が再生した画像フレームを上記録画番組中から抽出するように構成されている、ことを特徴とする請求項３に記載のレーベル画像管理装置。
【請求項５】
請求項１に記載のレーベル画像管理装置に上記録画番組リストを送信する送信手段と、
番組の録画予約の指示に基づいて、上記番組を録画する録画手段と、
上記番組が上記記録媒体に記録された場合に、当該番組を含む上記１つ以上の録画番組について各番組名を含む録画番組リストを生成する生成手段と、
上記録画予約の指示を受け付けた番組の番組名を含む録画番組リストが上記画像管理サーバに登録されているか否かを、上記画像管理サーバに照会する照会手段と、
上記照会手段による照会によって、上記番組の番組名を含む録画番組リストが上記画像管理サーバに登録されていることを確認した場合に、当該番組と同じ番組名の番組がすでに録画されている旨のメッセージを出力する出力手段と、を備えていることを特徴とする録画装置。
【請求項６】
上記照会手段による照会によって、上記番組の番組名を含む録画番組リストが上記画像管理サーバに登録されていることを確認した場合に、上記番組の録画予約を実行すべきか否かのユーザの指示を受け付ける指示受付手段をさらに備え、
上記番組の録画予約を実行すべきである旨の指示を受け付けた場合に限り、上記録画手段が当該番組を録画する、ことを特徴とする請求項５に記載の録画装置。
【請求項７】
請求項１に記載のレーベル画像管理装置からの、上記録画番組リストと、上記画像と、上記記録媒体に固有の値との登録を受け付ける登録受付手段と、
上記レーベル画像管理装置からの要求に応答して、１対以上の上記録画番組リストと上記画像とのペアを、上記レーベル画像管理装置に返却する第１応答手段と、を備えている、ことを特徴とする画像管理サーバ。
【請求項８】
上記要求に上記固有の値が含まれている場合に、上記第１応答手段は、上記要求に応答して、当該要求に含まれている固有の値に関連付けられている録画番組リストと画像とからなる１対のペアを、上記レーベル画像管理装置に返却する、ことを特徴とする請求項７に記載の画像管理サーバ。
【請求項９】
請求項５に記載の録画装置から、ユーザに指定された番組の番組名を含む録画番組リストが上記画像管理サーバに登録されているか否かの照会に応答して、当該録画番組リストが当該画像管理サーバに登録されているか否かを示す情報を上記録画装置に返却する第２応答手段をさらに備えている、ことを特徴とする請求項７または８に記載の画像管理サーバ。
【請求項１０】
レーベル画像管理装置と、画像管理サーバと、１つ以上の録画番組が記録されている着脱可能な記録媒体が装着された録画装置と、を含む画像管理システムであって、
上記レーベル画像管理装置は、
上記録画装置から、上記１つ以上の録画番組の各番組名を含む録画番組リストを取得する取得手段と、
上記記録媒体に付すレーベル用の画像を作成する画像作成手段と、
上記録画番組リストと、上記画像と、上記記録媒体に固有の値と、を関連付けて、画像管理サーバに登録する登録手段と、
ユーザの操作に基づいて、上記画像管理サーバに登録済みの１対以上の上記録画番組リストと上記画像とのペアを上記画像管理サーバから取得して、上記１対以上のペアを表示部に表示する表示制御手段と、を備えており、
上記録画装置は、
番組の録画予約の指示に従って番組を録画する録画手段と、
上記番組が上記記録媒体に記録された場合に、当該番組を含む１つ以上の録画番組について各番組名を含む録画番組リストを生成する生成手段と、
上記レーベル画像管理装置に上記録画番組リストを送信する送信手段と、を備えており、
上記画像管理サーバは、
上記レーベル画像管理装置からの、上記録画番組リストと、上記画像と、上記記録媒体に固有の値との登録を受け付ける登録受付手段と、
上記１対以上の上記録画番組リストと上記画像とのペアを、上記レーベル画像管理装置に返却する第１応答手段と、を備えている、ことを特徴とする画像管理システム。
【請求項１１】
上記録画装置は、
録画予約の指示を受け付けた番組の番組名を含む録画番組リストが上記画像管理サーバに登録されているか否かを、上記画像管理サーバに照会する照会手段と、
上記照会手段による照会によって、当該録画番組リストが上記画像管理サーバに登録されていることを確認した場合に、上記録画予約の指示を受け付けた番組と同じ番組名の番組がすでに録画されている旨のメッセージを出力する出力手段と、をさらに備え、
上記画像管理サーバは、
上記録画装置からの照会に応答して、当該録画番組リストが当該画像管理サーバに登録されているか否かを示す情報を上記録画装置に返却する第２応答手段と、をさらに備えていることを特徴とする請求項１０に記載の画像管理システム。
【請求項１２】
１つ以上の録画番組が記録されている着脱可能な記録媒体を装着した録画装置から、上記１つ以上の録画番組について各番組名を含む録画番組リストを取得する取得工程と、
上記記録媒体に付すレーベル用の画像を作成する画像作成工程と、
上記録画番組リストと、上記画像と、上記記録媒体に固有の値と、を関連付けて、画像管理サーバに登録する登録工程と、
ユーザの操作に基づいて、上記画像管理サーバに登録済みの１対以上の上記録画番組リストと上記画像とのペアを上記画像管理サーバから取得して、上記１対以上のペアを表示部に表示する表示制御工程と、を含んでいることを特徴とする、レーベル画像管理装置のレーベル画像管理方法。
【請求項１３】
請求項１から４のいずれか１項に記載のレーベル画像管理装置としてコンピュータを動作させるプログラムであって、コンピュータを上記各手段として機能させるためのプログラム。
【請求項１４】
請求項１３に記載のプログラムが記録されているコンピュータ読み取り可能な記録媒体。
【請求項１５】
請求項５または６に記載の録画装置としてコンピュータを動作させるプログラムであって、コンピュータを上記各手段として機能させるためのプログラム。
【請求項１６】
請求項１５に記載のプログラムが記録されているコンピュータ読み取り可能な記録媒体。
【請求項１７】
請求項７から９のいずれか１項に記載の画像管理サーバとしてコンピュータを動作させるプログラムであって、コンピュータを上記各手段として機能させるためのプログラム。
【請求項１８】
請求項１７に記載のプログラムが記録されているコンピュータ読み取り可能な記録媒体。
【発明の詳細な説明】
【技術分野】
【０００１】
本発明は、主に、録画再生装置によって番組が記録された記録媒体に付するレーベルを表すレーベルイメージを管理するレーベル画像管理装置およびレーベル画像管理方法に関する。また、本発明は、録画装置、画像管理システム、および画像管理サーバに関する。
【背景技術】
【０００２】
ＢＤレコーダ、ＤＶＤレコーダ等の普及により、放送中の番組をＢＤやＤＶＤ等の光ディスクに録画したり、ＨＤＤ等に録画された番組を光ディスクにダビングしたりする機会が増えている。
【０００３】
また、光ディスクを見るだけで何が記録されているかを容易に把握できるようにするために、番組を光ディスクに記録した際にその番組の特徴を表したディスクレーベルをプリンタで作成し、光ディスクのレーベル面に貼り付けるユーザも多い。
【０００４】
図２３は、従来のレーベル作成システムの利用イメージを示した図である。図２３に示したように、システムのユーザは、一般的に、レコーダによってテレビに表示されている録画リストの画面を見て、録画した番組のタイトルを確認する。そして、ユーザは、インターネット等を用いてディスクレーベル用の画像ファイルを手に入れた上で、ＰＣにインストールされているレーベル編集ソフトを用いて、手に入れた画像ファイルを開きつつ、確認したタイトルを手作業で入力することで、レーベルデータを作成する。さらに、プリンタを用いてレーベルデータが表すレーベルイメージをレーベルに印刷し、印刷済みのレーベルを光ディスクのレーベル面に貼り付ける。
【０００５】
このように、一般に、レーベルを付した光ディスクの作成には時間と手間がかかるが、レーベルを付した光ディスクを効率良く作成することを目的とする技術が、特許文献１および特許文献２に開示されている。
【先行技術文献】
【特許文献】
【０００６】
【特許文献１】特開２００８−１３５０８１号公報（２００８年６月１２日公開）
【特許文献２】特開２００８−１４０４３９号公報（２００８年６月１９日公開）
【発明の概要】
【発明が解決しようとする課題】
【０００７】
ところで、ユーザは、１枚の光ディスクに複数の番組を記録するケースがある。特に、ＢＤの記憶容量は非常に大きいので、ユーザは、ＢＤに多数の番組を記録することがある。このような場合、上記従来の構成には、レーベルを付した光ディスクにどのような番組が記録されているかをユーザに的確に把握させることができないケースがある。光ディスクに貼ることのできるレーベルの大きさには制約があり、光ディスクに記録されている番組が非常に多い場合、全番組のタイトルを記載したレーベルを作成するのは困難だからである。
【０００８】
本発明は、上記課題に鑑みて成されたものであり、その主な目的は、ユーザに、レーベルを付した着脱可能な記録媒体をプレーヤに装着せずに、記録媒体内の全番組のタイトルを番組数に関わらず的確に把握させることが可能なレーベル画像管理装置を実現することにある。
【課題を解決するための手段】
【０００９】
本発明に係るレーベル画像管理装置は、上記課題を解決するために、１つ以上の録画番組が記録されている着脱可能な記録媒体を装着した録画装置から、上記１つ以上の録画番組について各番組名を含む録画番組リストを取得する第１取得手段と、上記記録媒体に付すレーベル用の画像を作成する画像作成手段と、上記録画番組リストと、上記画像と、上記記録媒体に固有の値と、を関連付けて、画像管理サーバに登録する登録手段と、ユーザの操作に基づいて、上記画像管理サーバに登録済みの１対以上の上記録画番組リストと上記画像とのペアを上記画像管理サーバから取得して、上記１対以上のペアを表示部に表示する表示制御手段と、を備えていることを特徴としている。
【００１０】
上記の構成によれば、本発明に係るレーベル画像管理装置は、記録媒体に付されるレーベル用の画像と、その記録媒体内の各録画番組の番組名を含む録画番組リストと、その記録媒体に固有の値と、を関連付けて画像管理サーバに登録し、ユーザの操作に基づいて、１対以上の上記録画番組リストと上記画像とのペアを上記画像管理サーバから取得して表示部に表示する。
【００１１】
すなわち、レーベルが付された上記記録媒体を手元に持っているユーザが当該記録媒体に固有の値に関連付けられている録画番組リストとレーベル用の画像とのペアを取得する操作を行った場合、本発明に係るレーベル画像管理装置は、ユーザが手元に持っている記録媒体に付されたレーベル用の画像を、その記録媒体に記録されている１つ以上の録画番組の各番組名とともに表示部に表示する。
【００１２】
したがって、ユーザは、表示部に表示されている各番組名を見れば、記録媒体をプレーヤに装着しなくとも記録媒体内の全番組のタイトルを把握できる。特に、記録媒体内に非常に多数の番組が記録されている場合（レーベルに全番組のタイトルを記すことが出来ない場合）であっても、ユーザは、記録媒体内の全番組のタイトルを把握できる。
【００１３】
以上のように、本発明に係るレーベル画像管理装置は、ユーザに、レーベルを付した着脱可能な記録媒体をプレーヤに装着せずに、記録媒体内の全番組のタイトルを番組数に関わらず的確に把握させることができるという効果を奏する。
【００１４】
本発明に係るレーベル画像管理方法は、上記課題を解決するために、１つ以上の録画番組が記録されている着脱可能な記録媒体を装着した録画装置から、上記１つ以上の録画番組について各番組名を含む録画番組リストを取得する取得工程と、上記記録媒体に付すレーベル用の画像を作成する画像作成工程と、上記録画番組リストと、上記画像と、上記記録媒体に固有の値と、を関連付けて、画像管理サーバに登録する登録工程と、ユーザの操作に基づいて、上記画像管理サーバに登録済みの１対以上の上記録画番組リストと上記画像とのペアを上記画像管理サーバから取得して、上記１対以上のペアを表示部に表示する表示制御工程と、を含んでいることを特徴としている。
【００１５】
上記の構成によれば、本発明に係るレーベル画像管理方法は、本発明に係るレーベル画像管理装置と同様の作用効果を奏する。
【００１６】
本発明に係るレーベル画像管理装置は、上記記録媒体に固有の値を含むテキスト情報を図形パターンとして示した幾何学コードを生成する生成手段をさらに備え、上記レーベル用の画像として、上記幾何学コードの像を含むような画像を作成するように上記画像作成手段が構成されており、ユーザの撮像操作に基づいて、撮像画像を生成する撮像手段と、
上記撮像手段により上記幾何学コードを被写体とする撮像画像が生成された場合に、当該幾何学コードから上記テキスト情報を復号する復号手段と、をさらに備え、上記表示制御手段は、上記復号手段が上記テキスト情報を復号した場合に、復号で得られた上記固有の値を上記画像管理サーバに送信することで、上記表示部に表示する上記１対以上のペアとして、当該固有の値に関連付けられている録画番組リストと画像とからなる１対のペアを取得する、ことが望ましい。
【００１７】
上記の構成によれば、本発明に係るレーベル画像管理装置は、上記幾何学コードが記されたレーベルが付された上記記録媒体を手元に持っているユーザが上記幾何学コードが被写体に含まれるように撮像操作を行うと、当該記録媒体に付されたレーベル用の画像と、当該記録媒体に記録されている各番組の番組名と、を表示する。
【００１８】
すなわち、本発明に係るレーベル画像管理装置は、上記ユーザに、上記幾何学コードが被写体に含まれるように撮像操作を行わせるだけで、手元に持っている記録媒体内の全番組のタイトルを的確に把握させることができるという更なる効果を奏する。
【００１９】
本発明に係るレーベル画像管理装置は、上記録画装置から上記録画番組を取得する第２取得手段と、上記録画番組中からユーザの操作により指定された画像フレームを抽出する抽出手段と、をさらに備え、上記画像作成手段は、上記画像フレームが表す画像と上記録画番組リストに含まれている各番組名とを構成要素として含む、上記レーベル用の画像を作成するように構成されている、ことが望ましい。
【００２０】
上記の構成によれば、本発明に係るレーベル画像管理装置は、ユーザにインターネット等を用いて探させることなく、所望のレーベル用の画像を作成することができるというさらなる効果を奏する。
【００２１】
なお、本発明に係るレーベル画像管理装置は、上記録画番組を再生する再生手段と、ユーザの操作をトリガとして、再生中の録画番組の再生を停止する再生停止手段と、をさらに備え、上記抽出手段は、上記再生が停止する直前に上記再生手段が再生した画像フレームを上記録画番組中から抽出するように構成されている、ことが望ましい。
【００２２】
本発明に係る録画装置は、上記レーベル画像管理装置に上記録画番組リストを送信する送信手段と、番組の録画予約の指示に基づいて、上記番組を録画する録画手段と、上記番組が上記記録媒体に記録された場合に、当該番組を含む上記１つ以上の録画番組について各番組名を含む録画番組リストを生成する生成手段と、上記録画予約の指示を受け付けた番組の番組名を含む録画番組リストが上記画像管理サーバに登録されているか否かを、上記画像管理サーバに照会する照会手段と、上記照会手段による照会によって、上記番組の番組名を含む録画番組リストが上記画像管理サーバに登録されていることを確認した場合に、当該番組と同じ番組名の番組がすでに録画されている旨のメッセージを出力する出力手段と、を備えていることを特徴としている。
【００２３】
上記の構成によれば、本発明に係る録画装置は、ユーザが録画予約をしようとする番組と同一タイトルの録画番組が他の本発明に係る録画装置によって上記記録媒体にすでに記録されている場合にも、ユーザが録画予約をしようとする番組と同一タイトルの番組が録画済みであることをユーザに知らせることができる。
【００２４】
本発明に係る録画装置は、上記照会手段による照会によって、上記番組の番組名を含む録画番組リストが上記画像管理サーバに登録されていることを確認した場合に、上記番組の録画予約を実行すべきか否かのユーザの指示を受け付ける指示受付手段をさらに備え、
上記番組の録画予約を実行すべきである旨の指示を受け付けた場合に限り、上記録画手段が当該番組を録画する、ことが望ましい。
【００２５】
上記の構成によれば、本発明に係る録画装置は、録画予約をしようとする番組と同一タイトルの番組が録画済みであることを知ったユーザに、その番組の録画予約をするか否かを選択させることができるというさらなる効果を奏する。
【００２６】
本発明に係る画像管理サーバは、上記レーベル画像管理装置からの、上記録画番組リストと、上記画像と、上記記録媒体に固有の値との登録を受け付ける登録受付手段と、上記レーベル画像管理装置からの要求に応答して、１対以上の上記録画番組リストと上記画像とのペアを、上記レーベル画像管理装置に返却する第１応答手段と、を備えている、ことを特徴としている。
【００２７】
上記の構成によれば、本発明に係る画像管理サーバは、上記レーベル画像管理装置のユーザに、上記レーベル画像管理装置がレーベル用の画像を作成した１つ以上の記録媒体の各々について、記録媒体内の全番組のタイトルを的確に把握させることができる。具体的には、本発明に係る画像管理サーバは、上記レーベル画像管理装置で所定の操作を行うだけで、プレーヤに各記録媒体を装填する手間を必要とせずに、各記録媒体について記録媒体内の全番組のタイトルをユーザに把握させることができる。なお、本発明に係る画像管理サーバは、上記要求に上記固有の値が含まれている場合に、上記第１応答手段は、上記要求に応答して、当該要求に含まれている固有の値に関連付けられている録画番組リストと画像とからなる１対のペアを、上記レーベル画像管理装置に返却する、ことが望ましい。
【００２８】
本発明に係る画像管理サーバは、上記録画装置から、ユーザに指定された番組の番組名を含む録画番組リストが上記画像管理サーバに登録されているか否かの照会に応答して、当該録画番組リストが当該画像管理サーバに登録されているか否かを示す情報を上記録画装置に返却することが望ましい。
【００２９】
上記の構成によれば、本発明に係る画像管理サーバは、上記録画装置のユーザに指定された番組と同一タイトルの番組が他の本発明に係る録画装置によって着脱可能な記録媒体に記録された場合にも、上記ユーザに指定された番組が録画済みであることをユーザに知らせることができるというさらなる効果を奏する。
【００３０】
なお、レーベル画像管理装置と、画像管理サーバと、１つ以上の録画番組が記録されている着脱可能な記録媒体が装着された録画装置と、を含む画像管理システムであって、上記レーベル画像管理装置は、上記録画装置から、上記１つ以上の録画番組の各番組名を含む録画番組リストを取得する取得手段と、上記記録媒体に付すレーベル用の画像を作成する画像作成手段と、上記録画番組リストと、上記画像と、上記記録媒体に固有の値と、を関連付けて、画像管理サーバに登録する登録手段と、ユーザの操作に基づいて、上記画像管理サーバに登録済みの１対以上の上記録画番組リストと上記画像とのペアを上記画像管理サーバから取得して、上記１対以上のペアを表示部に表示する表示制御手段と、を備えており、上記録画装置は、番組の録画予約の指示に従って番組を録画する録画手段と、上記番組が上記記録媒体に記録された場合に、当該番組を含む１つ以上の録画番組について各番組名を含む録画番組リストを生成する生成手段と、上記レーベル画像管理装置に上記録画番組リストを送信する送信手段と、を備えており、上記画像管理サーバは、上記レーベル画像管理装置からの、上記録画番組リストと、上記画像と、上記記録媒体に固有の値との登録を受け付ける登録受付手段と、上記１対以上の上記録画番組リストと上記画像とのペアを、上記レーベル画像管理装置に返却する第１応答手段と、を備えている、ことを特徴とする画像管理システムとしても、本発明を実現できる。
【００３１】
この場合、本発明に係る画像管理システムは、上記録画装置が、録画予約の指示を受け付けた番組の番組名を含む録画番組リストが上記画像管理サーバに登録されているか否かを、上記画像管理サーバに照会する照会手段と、上記照会手段による照会によって、当該録画番組リストが上記画像管理サーバに登録されていることを確認した場合に、上記録画予約の指示を受け付けた番組がすでに録画されている旨のメッセージを出力する出力手段と、をさらに備え、上記画像管理サーバが、上記録画装置からの照会に応答して、当該録画番組リストが当該画像管理サーバに登録されているか否かを示す情報を上記録画装置に返却する第２応答手段と、をさらに備えていることが望ましい。
【００３２】
また、上記レーベル画像管理装置が備えている各手段としてコンピュータを動作させるためのプログラム、上記録画装置が備えている各手段としてコンピュータを動作させるためのプログラム、及び、上記画像管理サーバが備えている各手段としてコンピュータを動作させるためのプログラムも本発明の範疇に含まれる。また、これらのプログラムの全部または一部を記録しているコンピュータ読み取り可能な記録媒体も本発明の範疇に含まれる。
【発明の効果】
【００３３】
以上のように、本発明に係るレーベル画像管理装置は、ユーザに、レーベルを付した着脱可能な記録媒体をプレーヤに装着せずに、記録媒体内の全番組のタイトルを番組数に関わらず的確に把握させることができるという効果を奏する。
【図面の簡単な説明】
【００３４】
【図１】図１は、本発明の一実施形態に係るレーベル作成システムを構成する録画装置、タブレット端末、クラウドサーバおよびプリンタの要部構成を示すブロック図である。
【図２】図２は、図１のレーベル作成管理システムの利用イメージを示した図である。
【図３】図３は、図１のレーベル作成管理システムの一動作を示すシーケンス図の一部分を示した図である。
【図４】図４は、図１のレーベル作成管理システムの一動作を示すシーケンス図の一部分であって図３に示した部分に続く部分を示した図である。
【図５】図５は、図１のレーベル作成管理システムの一動作を示すシーケンス図の一部分であって図４に示した部分に続く部分を示した図である。
【図６】図６は、図３〜図５で示されたシーケンス図に従った動作中における、表示装置およびタブレット端末の表示内容を示した図である。
【図７】図７は、図１のレーベル作成管理システムの一動作を示すシーケンス図の一部分を示した図である。
【図８】図８は、図１のレーベル作成管理システムの一動作を示すシーケンス図の一部分であって図７に示した部分に続く部分を示した図である。
【図９】図９は、図１のレーベル作成管理システムの一動作を示すシーケンス図の一部分であって図８に示した部分に続く部分を示した図である。
【図１０】図１０は、図７〜図９で示されたシーケンス図に従った動作中における、表示装置およびタブレット端末の表示内容を示した図である。
【図１１】図１１は、図１のレーベル作成管理システムの一動作を示すシーケンス図の一部分を示した図である。
【図１２】図１２は、図１のレーベル作成管理システムの一動作を示すシーケンス図の一部分であって図１１に示した部分に続く部分を示した図である。
【図１３】図１３は、図１のレーベル作成管理システムの一動作を示すシーケンス図の一部分であって図１２に示した部分に続く部分を示した図である。
【図１４】図１４は、図１のレーベル作成管理システムの一動作を示すシーケンス図の一部分であって図１３に示した部分に続く部分を示した図である。
【図１５】図１５は、図１１〜図１４で示されたシーケンス図に従った動作中に、タブレット端末に表示されるユーザインタフェースを示した図である。
【図１６】図１６は、図１のレーベル作成管理システムの一動作を示すシーケンス図の一部分を示した図である。
【図１７】図１７は、図１のレーベル作成管理システムの一動作を示すシーケンス図の一部分であって図１６に示した部分に続く部分を示した図である。
【図１８】図１８は、図１のレーベル作成管理システムの一動作を示すシーケンス図の一部分であって図１７に示した部分に続く部分を示した図である。
【図１９】図１９は、図１６〜図１８で示されたシーケンス図に従った動作中に、タブレット端末に表示されるユーザインタフェースを示した図である。
【図２０】図２０は、図１のレーベル作成管理システムの一動作を示すシーケンス図である。
【図２１】図２１は、図２０に示されたシーケンス図に従った動作中に、タブレット端末に表示されるユーザインタフェースを示した図である。
【図２２】図２２は、図１のレーベル作成管理システムの変形例に係る録画管理システムを構成する録画装置、タブレット端末、ホームサーバおよびプリンタの要部構成を示すブロック図である。
【図２３】図２３は、従来のレーベル作成管理システムの利用イメージを示した図である。
【発明を実施するための形態】
【００３５】
＜実施形態１＞
本発明の一実施形態に係るレーベル作成管理システム（特許請求の範囲の「画像管理システム」に対応）について図面を参照しながら以下に説明する。
【００３６】
本実施形態に係るレーベル作成管理システムは、ＢＤレコーダ（ブルーレイディスクレコーダ）と、ＢＤ（ブルーレイディスク）のレーベル面に付すレーベルを印刷するプリンタと、レーベル編集ソフト（ディスクレーベル編集アプリ）がインストールされているタブレット端末と、ディスクレーベル編集アプリで編集したレーベルイメージを管理するクラウドサーバと、を含んでいる。
【００３７】
ＢＤレコーダは、放送番組を受信して内蔵ＨＤＤ（ハードディスクドライブ）に録画したり、内蔵ＨＤＤに録画した録画番組をＢＤにダビングしたりすることが可能である。また、ＢＤレコーダは、ＤＬＮＡサーバとして機能し、ＤＬＮＡクライアントからの要求に応じて録画番組をＤＬＮＡクライアントに配信する機能を備えている。
【００３８】
また、タブレット端末にインストールされているディスクレーベル編集アプリはタブレット端末をＤＬＮＡクライアントとして動作させる機能を備えている。ディスクレーベル編集アプリが動作中のタブレット端末は、ＤＬＮＡサーバであるＢＤレコーダからＤＬＮＡ機能を用いてＢＤに記録されている録画番組を再生し、任意の再生位置に対応する画像フレームを、レーベルイメージとして選択することが可能である。
【００３９】
さらに、タブレット端末には、番組の録画予約をＢＤレコーダに登録するためのＴＶ番組録画予約アプリ、および、ＢＤレコーダにおいて内蔵ＨＤＤから録画番組がダビングされたＢＤを管理するダビングディスク管理アプリがインストールされている。
【００４０】
また、プリンタは、ＷｉＦｉ通信により受信した印刷イメージを印刷することが可能である。
【００４１】
以下では、本実施形態に係るレーベル作成管理システムを構成する各装置の構成について図１を参照して説明する。
【００４２】
図１は、本実施形態に係るレーベル作成管理システムを構成する各装置の要部構成を示すブロック図である。図１に示すように、本実施形態に係るレーベル作成管理システムは、タブレット端末１００、ＢＤレコーダ２００、プリンタ３００およびクラウドサーバ４００を含んでいる。
【００４３】
タブレット端末１００、ＢＤレコーダ２００およびプリンタ３００はＷｉＦｉルータ２７０を通じて家庭内ＬＡＮに接続されており、ＷｉＦｉルータ２７０は、家庭内ＬＡＮと外部のネットワークとの境界に設置されている。また、タブレット端末１００およびＢＤレコーダ２００は、ＷｉＦｉルータ２７０およびインターネット５００を経由して、クラウドサーバ４００との間で通信を行うことができるように構成されている。
【００４４】
（タブレット端末１００）
タブレット端末１００は、通信インタフェース（通信Ｉ／Ｆ）１０２、レーベル作成・登録制御部１０４、再生部１０６、表示部１０８、撮像部１１０、２次元コード復号部１１２、録画予約部１１４および記憶部１１６を備えている。
【００４５】
通信Ｉ／Ｆ１０２は、ＷｉＦｉ通信を行うための通信インタフェースである。
【００４６】
レーベル作成・登録制御部１０４は、ディスクレーベル編集アプリがＣＰＵ（図示せず）に読み込まれることによりタブレット端末１００に設けられる。レーベル作成・登録制御部１０４は、ＢＤレコーダ２００にて録画番組がダビングされたＢＤに付するレーベルのレーベルイメージを作成し、印刷イメージの形態でプリンタ３００に送信する。
【００４７】
レーベル作成・登録制御部１０４は、ＢＤレコーダ２００に装填されているＢＤ中の各録画番組名を含む録画リスト（録画番組リスト）と、ＢＤレコーダ２００に装填されているＢＤのＩＤ（例えば、ＢＣＡ（バーストカッティングエリア）に記録されているディスク固有のＩＤ）と、を受信する機能を備えている。
【００４８】
レーベル作成・登録制御部１０４は、ＩＤおよび録画リストを受信すると、受信したＩＤおよび録画リストを含むディスクレーベル情報をクラウドサーバ４００に登録する。また、ユーザによりディスクレーベルの印刷が指示されると、レーベル作成・登録制御部１０４は、プリンタ３００に印刷イメージを送信するとともに、レーベルイメージをディスクレーベル情報の一部としてクラウドサーバ４００に登録する。
【００４９】
なお、このＩＤ（ディスクの個体情報）は、ディスクレーベル情報を他のディスクレーベル情報と識別するための識別子として使用される。
【００５０】
再生部１０６は、ディスクレーベル編集アプリがＣＰＵに読み込まれることによりタブレット端末１００に設けられる。再生部１０６は、ユーザがディスクレーベル編集アプリを用いて指定した番組名に基づいて、対応する番組をＢＤレコーダ２００から取得し、再生する。
【００５１】
表示部１０８は、レーベル作成・登録制御部１０４、再生部１０６、撮像部１１０等によって生成された画像を表示するタッチパネル式の表示パネルである。
【００５２】
撮像部１１０は、レンズおよび撮像素子を含んでおり、レンズで取り込んだ光を撮像素子で電荷に変換することで撮像画像を生成する。
【００５３】
２次元コード復号部１１２は、ダビングディスク管理アプリがＣＰＵに読み込まれることによりタブレット端末１００に設けられる。２次元コード復号部１１２は、撮像部１１０が生成した撮像画像中の２次元コード（本実施形態では、ＱＲコード（登録商標））の像を検出し、検出した２次元コードの像から、その２次元コードが表すテキスト文字列を復号する。
【００５４】
録画予約部１１４は、ＴＶ番組録画予約アプリがＣＰＵに読み込まれることによりタブレット端末１００に設けられる。録画予約部１１４は、ユーザによりＴＶ番組録画予約アプリを用いて指定された番組の録画予約を、ＷｉＦｉ通信を用いて、ＢＤレコーダ２００に登録する。
【００５５】
記憶部１１６は、ハードディスクドライブ（ＨＤＤ）である。
【００５６】
（ＢＤレコーダ２００）
ＢＤレコーダ２００は、チューナ２０２、録画・ダビング制御部２０４、記憶部２０６、ＢＤドライブ部２０８、録画リスト通信処理部２１０、通信インタフェース（通信Ｉ／Ｆ）２１２および再生部２１４を備えている。
【００５７】
チューナ２０２は、放送波を受信して選局したチャンネルの番組を出力する。
【００５８】
録画・ダビング制御部２０４は、操作部（図示せず）を介したユーザの録画操作により選択された番組を、チューナ２０２を制御することで取得し、記憶部２０６に録画する。
【００５９】
録画・ダビング制御部２０４は、録画番組が存在しない記憶部２０６に番組を録画する場合にはその番組のタイトルを含む録画リストを内蔵ＨＤＤに関する録画リストとして生成して記憶部２０６に記録し、録画番組が存在する記憶部２０６に番組を録画する場合には、その番組のタイトルが含まれるように、内蔵ＨＤＤに関する録画リストを更新する。
【００６０】
また、録画・ダビング制御部２０４は、操作部を介したユーザのダビング操作により選択された番組を、記憶部２０６からＢＤにダビングする。
【００６１】
録画・ダビング制御部２０４は、対応する録画リストが記憶部２０６に記録されていていないＢＤ（例えばブランクＢＤ）に録画番組をダビングする場合には、そのＢＤの録画リストとしてその録画番組のタイトルを含む録画リストを生成して記憶部２０６に記録し、対応する録画リストが記憶部２０６に記録されているＢＤに録画番組をダビングする場合には、その録画番組のタイトルが含まれるように、対応する録画リストを更新する。
【００６２】
記憶部２０６は、番組が録画されるＨＤＤである。記憶部２０６には、ＢＤにダビングされた各録画番組の番組名を含む録画リストが、ＢＤ毎に記録される。また、記憶部２０６には、記憶部２０６中の各録画番組の番組名を含む録画リストが記録される。
【００６３】
ＢＤドライブ部２０８は、読み出しと書き込みとの双方に対応したＢＤドライブ装置である。
【００６４】
録画リスト通信処理部２１０は、タブレット端末１００からの要求に応じて、ＢＤドライブ２０８に装填されているＢＤに対応する録画リストを記憶部２０６から読み出して、そのＢＤに固有のＩＤとともに、通信Ｉ／Ｆ２１２を介してタブレット端末１００に送信する。
【００６５】
通信Ｉ／Ｆ２１２は、ＷｉＦｉ通信を行うための通信インタフェースである。
【００６６】
再生部２１４は、再生の要求に従って、ＢＤまたはＨＤＤに記録されている番組を再生して表示装置２５０に表示する。本実施形態では、表示装置２５０はテレビジョン受像機である。また、再生部２１４は、再生の要求が外部の装置から受けた場合には、ＢＤまたはＨＤＤに記録されている番組を再生して表示装置２５０に表示するとともに、再生中の番組を外部の装置に配信する。
【００６７】
（プリンタ３００）
プリンタ３００は、通信インタフェース（通信Ｉ／Ｆ）３０２および印刷部３０４を備えている。
【００６８】
通信Ｉ／Ｆ３０２は、ＷｉＦｉ通信を行うための通信インタフェースである。
【００６９】
印刷部３０４は、通信Ｉ／Ｆ３０２を通じて受信した印刷イメージに応じた印刷処理を行う。
【００７０】
（クラウドサーバ４００）
クラウドサーバ４００は、通信Ｉ／Ｆ４０２、制御部４０４および記憶部４０６を備えている。
【００７１】
通信Ｉ／Ｆ４０２は、イーサネット（登録商標）インタフェースである。
【００７２】
制御部４０４は、タブレット端末から送信されてきた録画リストと、レーベルイメージと、ＩＤと、を関連づけて記憶部４０６に記録する。
【００７３】
記憶部４０６は、ＨＤＤである。
【００７４】
以上、本実施形態に係るレーベル作成管理システムの構成について説明した。
【００７５】
（録画リストについて）
本実施形態では、ＢＤに対応する録画リストには、そのＢＤにダビングされている各録画番組のタイトル（番組名）だけでなく、各録画番組の録画日時、録画品質（ＳＤ画質、ＨＤ画質等）、ＢＤへのダビング日時、録画機器の型番、メーカー名等が記録されている。ただし、録画リストには、各録画番組について、さらに別の情報が含まれていてもよいし、録画日時、録画品質、ダビング日時等の情報が含まれていなくともよい。
【００７６】
（レーベル作成管理システムの利用イメージについて）
次に、本実施形態に係るレーベル作成管理システムの利用イメージについて図２を参照しながら以下に説明する。
【００７７】
図２は、ユーザが、所望するＢＤを完成させるために、本実施形態に係るレーベル作成管理システムを用いる利用イメージを示した図である。
【００７８】
図２に示すように、ユーザは、まず、所望の単一または複数の録画番組をＢＤ（以下、「対象ＢＤ」とも称する）にダビングする。
【００７９】
各録画番組の対象ＢＤへのダビングが完了した後には、各録画番組の番組名を含む録画リストがＢＤドライブ２００に記録されている。
【００８０】
次に、ユーザは、タブレット端末１００を用いてディスクレーベル編集アプリを起動させ、録画リストを受信するための操作を行う。
【００８１】
操作が行われると、タブレット端末１００は、録画リストをＢＤレコーダ２００に要求する。ＢＤレコーダ２００は、ＢＤドライブ部２０８に装填されている対象ＢＤに対応する録画リストを対象ＢＤのＩＤとともにタブレット端末１００に送信する。
【００８２】
さらに、ユーザは、タブレット端末に表示された録画リストから所望の番組名を選択する。
【００８３】
タブレット端末１００は、ＢＤレコーダ２００から、選択された番組名に対応する番組の配信を受ける。
【００８４】
その後、ユーザは、配信を受けた番組の映像中から所望する画像フレームを選択する。また、ユーザは、画像フレーム中のどの領域をレーベルに印刷するかを指定し、さらに、レーベルに印刷する文字列を編集する。なお、タブレット端末１００は、デフォルトで、レーベルに印刷する文字列として、選択リストに含まれている各番組名を印刷するようになっている。ユーザは、レーベルデータの編集（画像フレーム中の印刷範囲の指定、および、文字列の編集）が完了すると、レーベルデータが表すレーベルイメージをレーベルに印刷する印刷処理をプリンタに実行させる。
【００８５】
プリンタ３００での印刷処理が完了すると、タブレット端末１００は、録画リストと、ＩＤと、レーベルイメージと、を関連付けてクラウドサーバ４００に登録する。
【００８６】
（本実施形態に係るレーベル作成管理システムの動作１）
次に、タブレット端末１００においてディスクレーベル編集アプリを起動してから、対象ディスクの録画リストを受信するまでの本実施形態に係るレーベル作成管理システムの動作について図３〜図６を参照しながら説明する。図３〜図５は、上記動作の一部分を示すシーケンス図であり、図６は、上記動作中におけるタブレット端末１００および表示装置２５０の表示内容を示した図である。
【００８７】
図３に示すように、ディスクレーベル編集アプリが起動すると、最初に、タブレット端末１００のレーベル作成・登録制御部１０４は、ＬＡＮ上にある情報取得対象の録画機器（ＢＤレコーダ２００と同種の録画機器）を検索する（Ｓ１）。すなわち、レーベル作成・登録制御部１０４は、情報取得対象の録画機器に対して、タブレット端末１００に応答するように要求する。
【００８８】
ＢＤレコーダ２００の録画リスト通信処理部２１０は、情報取得対象の録画機器である旨の応答をタブレット端末１００に送信する（Ｓ２）。応答には、ＢＤレコーダ２００の機器名である「LC40DR3」が含まれている。
【００８９】
レーベル作成・登録制御部１０４は、ＢＤレコーダ２００を含む情報取得対象の各録画機器から機器名を取得し（Ｓ３）、各機器名を選択機器リストに登録する（Ｓ４）。Ｓ４の時点で、レーベル作成・登録制御部１０４は、図６の右上部分に示したユーザインタフェース画面を表示部１０８に表示する。このユーザインタフェース画面で「LC40DR3」と記載されているユーザインタフェース部品はコンボボックスであり、ユーザは、このコンボボックスを用いて、選択機器リストに登録されているいずれかの録画機器を選択できるようになっている。
【００９０】
ユーザがコンボボックスを用いて選択機器リストから録画機器（ここでは、「ＢＤレコーダ２００」とする）を選択すると（Ｓ５）、レーベル作成・登録制御部１０４は、選択した録画機器（ＢＤレコーダ２００）に接続を要求する。
【００９１】
ＢＤレコーダ２００の録画リスト通信処理部２１０は、タブレット端末１００からの接続の要求を受け入れ（Ｓ６）、要求を受け入れた旨の応答をタブレット端末１００に送信する。以降、タブレット端末１００は、Ｓ５で選択された録画機器（ＢＤレコーダ２００）とやりとりを行う。
【００９２】
次に、ユーザがコンボボックスの右にある「ＢＤ」ボタンまたは「ＨＤＤ」ボタンのいずれかのボタンをタッチすると（Ｓ８）、そのボタンが示すメディアに処理対象（対応する録画リストの送信対象）を切り替えるようＢＤレコーダ２００に要求する。
【００９３】
ＢＤレコーダ２００の録画リスト通信処理部２１０は、必要に応じて、処理対象をＢＤまたはＨＤＤに切り替え（Ｓ９）、要求を受け入れた旨の応答をタブレット端末１００に送信する。
【００９４】
Ｓ１０以降の処理については参照するシーケンス図の図面を図３から図４に変えて説明する。
【００９５】
図４および図６に示したように、ユーザが「コンボボックス」、「ＢＤ」ボタンおよび「ＨＤＤ」ボタンの直下に配置されている「録画リスト取得」ボタンをタッチすると（Ｓ１０）、レーベル作成・登録制御部１０４は、ＢＤレコーダ２００に対して録画リストの送信を要求する（Ｓ１１）。
【００９６】
ＢＤレコーダ２００の録画リスト通信処理部２１０は、要求を受け入れ、録画リストをタブレット端末１００に送信する（Ｓ１２）。具体的には、処理対象がＢＤになっている場合には、ＢＤドライブ部２０８に装填されているＢＤ（対象ＢＤ）に対応する録画リストと、対象ＢＤのＩＤと、をタブレット端末１００に送信する。一方、処理対象がＨＤＤになっている場合には、ＨＤＤに対応する録画リストをタブレット端末１００に送信する。
【００９７】
Ｓ１２の後、レーベル作成・登録制御部１０４は、通信Ｉ／Ｆ１０２を介して録画リスト（処理対象がＢＤになっている場合には録画リストおよびＩＤ）を受信し（Ｓ１３）、受信した録画リストを表示部１０８に表示する（Ｓ１４）。
【００９８】
その後、ユーザが「保存」ボタンをタッチすると（Ｓ１５）、レーベル作成・登録制御部１０４は、図６の右下部分に示したように、録画リストを保存中である旨を示すメッセージを表示部１０８に表示する（Ｓ１６）。
【００９９】
以下、参照するシーケンス図の図面を図４から図５に変えて、Ｓ８で「ＢＤ」ボタンがタッチされた場合におけるＳ１７〜Ｓ３０の動作を説明する。なお、Ｓ８で「ＨＤＤ」ボタンがタッチされた場合には、本実施形態に係るレーベル作成管理システムは、Ｓ１７〜Ｓ２９の動作をスキップして、後述のＳ３０の処理を行う。
【０１００】
図５に示すように、Ｓ１７において、レーベル作成・登録制御部１０４は、クラウドサーバ４００を対象として、録画リストを受信したＢＤのＩＤ（ディスクの個体番号）を検索する（Ｓ１７）。具体的には、レーベル作成・登録制御部１０４は、Ｓ１３で受信したＩＤを送信することで、そのＩＤを含むディスクレーベル情報がクラウドサーバに登録されているか否かをタブレット端末１００に示すようクラウドサーバ４００に要求する。
【０１０１】
クラウドサーバ４００の制御部４０４は、ディスクの個体番号を検索する。具体的には、制御部４０４は、タブレット端末１００から受信したＩＤを含むディスクレーベル情報がクラウドサーバ４００に登録されているか（より具体的には、記憶部４０６内のタブレット端末１００およびＢＤレコーダ２００を使用するユーザ用のデータベーステーブルに登録されているか）否かを確認する（Ｓ１８）。以下では、このデータベーステーブルを単に「ＤＢテーブル」と称する。
【０１０２】
制御部４０４は、Ｓ１７で受信したディスクの個体番号と検索結果を示すフラグとをタブレット端末１００に送信する（Ｓ１９）。具体的には、タブレット端末１００から受信した個体番号を含むディスクレーベル情報がクラウドサーバ４００に登録されていることを確認した場合にはフラグの値として「ＴＲＵＥ」を送信し、登録されていないことを確認した場合にはフラグの値として「ＦＡＬＳＥ」を送信する。
【０１０３】
Ｓ２０において、タブレット端末１００の通信Ｉ／Ｆ１０２は、ディスクの個体番号と検索結果を示すフラグとを受信する。
【０１０４】
Ｓ２１において、レーベル作成・登録制御部１０４は、検索結果を示すフラグの値が「ＴＲＵＥ」であるか「ＦＡＬＳＥ」であるかを判定する。
【０１０５】
レーベル作成・登録制御部１０４は、Ｓ２１でフラグの値が「ＦＡＬＳＥ」であると判定した場合、Ｓ１３で受信した個体番号を再度送信することで、その個体番号を含むディスクレーベル情報の新規レコードを登録するようクラウドサーバ４００に要求する（Ｓ２２）。
【０１０６】
クラウドサーバ４００の制御部４０４は、Ｓ２２の要求を受け付けると、Ｓ２２で受信した個体番号を含むディスクレーベル情報を新規レコードとしてＤＢテーブルに登録し（Ｓ２３）、Ｓ２２で受信した個体番号をタブレット端末１００に返却する（Ｓ２４）。
【０１０７】
Ｓ２５において、タブレット端末１００の通信Ｉ／Ｆ１０２は、Ｓ２４で返却されたディスクの個体番号を受信し、Ｓ２６の処理に進む。
【０１０８】
一方、レーベル作成・登録制御部１０４は、Ｓ２１で「ＴＲＵＥ」であると判定した場合には、Ｓ２６の処理に進む。
【０１０９】
Ｓ２１またはＳ２５の処理の後、レーベル作成・登録制御部１０４は、Ｓ１３で受信したＩＤおよび録画リストを送信することで、録画リストを、そのＩＤを含むディスクレーベル情報の一部として保存するようクラウドサーバ４００に要求する（Ｓ２６）。
【０１１０】
要求を受け付けたクラウドサーバ４００の制御部４０４は、受信したＩＤを含むディスクレーベル情報をＤＢテーブルから検索する。そして、制御部４０４は、検索がヒットしたディスクレーベル情報の一部（「録画リスト」フィールドの値）として、受信した録画リストを保存し（Ｓ２７）、録画リストの保存が完了した旨の通知をタブレット端末１００に送信する（Ｓ２８）。なお、「録画リスト」フィールドの値がデフォルト値であるヌル値でない場合には、Ｓ２７において、制御部４０４は、受信した録画リストで「録画リスト」フィールドの値を更新する（後述のＳ１１０についても同様である）。
【０１１１】
通知を受信したタブレット端末１００のレーベル作成・登録制御部１０４は、Ｓ１３で受信した録画リストとＩＤとを関連付けて本体メモリ（記憶部１０８）に保存し（Ｓ２９）、Ｓ１６で表示したメッセージを消去し（Ｓ３０）、処理を終了する。
【０１１２】
（本実施形態に係るレーベル作成管理システムの動作２）
次に、タブレット端末１００においてディスクレーベル編集アプリの起動中に、「背景画像の取得」ボタンがタッチされた場合における、本実施形態に係るレーベル作成管理システムの動作について図７〜図１０を参照しながら説明する。図７〜図９は、上記動作の一部分を示すシーケンス図であり、図１０は、上記動作中におけるタブレット端末１００および表示装置２５０の表示内容を示した図である。
【０１１３】
なお、以下の動作は、「録画リスト取得」動作（動作１）によってＢＤレコーダ２００の処理対象がＢＤになっている場合に実行されるものであることを予め述べておく。
【０１１４】
図７に示すように、「背景画像の取得」ボタンがタッチされると（Ｓ４１）、ＢＤレコーダ２００に対して録画リストの送信を要求する（Ｓ４２）。なお、「背景画像の取得」ボタンは、図１０の左上部分に示されているように、メインメニュー内の「録画リスト取得」ボタンの直下にある。
【０１１５】
Ｓ４２の後、ＢＤレコーダ２００の録画リスト通信処理部２１０は、要求を受け入れ、録画リストをタブレット端末１００に送信する（Ｓ４３）。具体的には、ＢＤドライブ部２０８に装填されているＢＤ（対象ＢＤ）に対応する録画リストと、対象ＢＤのＩＤと、をタブレット端末１００に送信する。
【０１１６】
Ｓ４３の後、レーベル作成・登録制御部１０４は、通信Ｉ／Ｆ１０２を介して録画リストおよびＩＤを受信し（Ｓ４４）、受信した録画リストを表示部１０８に表示する（Ｓ４５）。
【０１１７】
図１０の下側部分に示した４つのディスクレーベル編集アプリ画面（以下、本動作の説明において、単に、「４つのアプリ画面」と略称する）のうち最も左側のディスクレーベル編集アプリ画面に示されているように、ユーザが、録画リスト内に記載されている番組のタイトル（同図では「春のイタリア観光」）の部分をタッチし（Ｓ４６）、「再生」ボタンをタッチすると（Ｓ４７）、再生部１０６は、そのタイトルを録画リストから再生対象として選択するようＢＤレコーダ２００に要求する（Ｓ４８）。
【０１１８】
Ｓ４９以降の処理については参照するシーケンス図の図面を図７から図８に変えて説明する。
【０１１９】
要求を受けたＢＤレコーダ２００の再生部２１４は、そのタイトルを録画リストから再生対象として選択する（Ｓ４９）具体的には、再生部２１４は、そのタイトルの番組（以降、「対象番組」と称する）の先頭フレームをＢＤまたはＨＤＤから読み出して表示装置２５０に表示し、対象番組の再生の準備が出来た旨の応答をタブレット端末１００に送信する。
【０１２０】
応答を受けたタブレット端末１００の再生部１０６（特許請求の範囲の「第２取得手段」に対応）は、対象番組の再生の開始、および、再生映像のタブレット端末１００への配信をＢＤレコーダ２００に要求する（Ｓ５０）。
【０１２１】
要求を受けたＢＤレコーダ２００では、再生部２１４が対象番組の再生を開始し、再生映像を表示装置２５０に表示しつつ、対象番組のストリーミング映像およびストリーミング音声のパケットをタブレット端末１００に配信する（Ｓ５１）。
【０１２２】
パケットを受信したタブレット端末１００の再生部１０６（特許請求の範囲の「再生手段」に対応）、ストリーミング映像およびストリーミング音声の再生を開始する（Ｓ５２）。
【０１２３】
以降、ＢＤレコーダ２００の再生部２１４は、随時、ストリーミング映像およびストリーミング音声のパケットをタブレット端末１００に配信する（Ｓ５３−１、Ｓ５３−２・・）。一方、パケットを受信したタブレット端末１００の再生部１０６は、パケットを受け取る度に、そのパケットをデコードして、映像を表示部１０８に表示し、音声をスピーカ（図示せず）から出力する（Ｓ５４−１、Ｓ５４−２・・）。
【０１２４】
４つのアプリ画面のうち左から２番目のディスクレーベル編集アプリ画面は対象番組の再生中のディスクレーベル編集アプリ画面を例示している。対象番組の再生中にユーザが「静止」ボタンをタッチすると（Ｓ５５）、再生部１０６（特許請求の範囲の「再生停止手段」に対応）は、対象番組の再生を一時停止するとともに、対象番組の再生を一時停止するようＢＤレコーダ２００に要求する（Ｓ５６）。４つのアプリ画面のうち右から２番目のディスクレーベル編集アプリ画面は一時停止中のディスクレーベル編集アプリ画面を例示している。
【０１２５】
Ｓ５７以降の処理については参照するシーケンス図の図面を図８から図９に変えて説明する。
【０１２６】
Ｓ５６の後、再生部１０６（特許請求の範囲の「抽出手段」に対応）は、これまでに受信した再生済み映像中から一時停止の直前で再生した画像フレームを抽出する（Ｓ５７）。
【０１２７】
一方、Ｓ５６の要求を受け付けたＢＤレコーダ２００の再生部２１４は、対象番組の再生を一時停止し（Ｓ５８）。対象番組を一時停止した旨を示す応答をタブレット端末１００に送信する（Ｓ５９）。
【０１２８】
一時停止後にユーザが「確定」ボタンをタッチすると（Ｓ６０）、再生部１０６は、対象番組の再生を停止（終了）するよう、ＢＤレコーダ２００に要求する（Ｓ６１）。
【０１２９】
要求を受け付けたＢＤレコーダ２００の再生部２１４は、対象番組の再生を停止（終了）し（Ｓ６２）、再生を停止した旨の応答をタブレット端末１００に送信する（Ｓ６３）。
【０１３０】
一方、レーベル作成・登録制御部１０４は、表示中の画像（Ｓ５７で抽出した画像フレームに相当）をレーベル作成用の背景画像として確定した旨を表示部１０８に表示し、（Ｓ６４）、表示中の画像をレーベル作成用の背景画像として記憶部１１６に保存する（Ｓ６５）。具体的には、レーベル作成・登録制御部１０４は、Ｓ４４で受信したＩＤとＳ５７で抽出した画像フレームとを関連付けて記憶部１１６に保存する。なお、４つのアプリ画面のうち一番右側に記載されているディスクレーベル編集アプリ画面は、表示中の画像をレーベル作成用の背景画像として確定した旨を示している。
【０１３１】
（本実施形態に係るレーベル作成管理システムの動作３）
次に、タブレット端末１００においてディスクレーベル編集アプリの起動中に、「ディスクレーベルの作成」ボタンがタッチされた場合における、本実施形態に係るレーベル作成管理システムの動作について図１１〜図１５を参照しながら説明する。図１１〜図１４は、上記動作の一部分を示すシーケンス図であり、図１５は、上記動作中におけるタブレット端末１００の表示内容を示した図である。
【０１３２】
図１１に示すように、「ディスクレーベルの作成」ボタンがタッチされると（Ｓ８１）、レーベル作成・登録制御部１０４は、ディスクレーベル編集アプリのレーベル編集画面（後述する「画像」「レイアウト」「タイトル」等のレーベル編集用ボタンや「編集」ボタン、「保存」ボタン、「印刷」ボタン等が設けられた画面）を表示部に表示する（Ｓ８２）。なお、「ディスクレーベルの作成」ボタンは、図１５の左上部分に示されているように、トップメニュー内の「背景画像の取得」ボタンの直下にある。
【０１３３】
ユーザが「編集」ボタンをタッチし（Ｓ８３）、その後「画像」ボタンをタッチすると（Ｓ８４）、レーベル作成・登録制御部１０４は、記憶部１１６に記録されている背景画像の一覧（具体的には、直近で受信したＩＤに関連付けられている背景画像の一覧）を表示部１０８に表示する（Ｓ８５）。
【０１３４】
ユーザが背景画像の一覧の中からレーベルに使用する背景画像を選択すると（Ｓ８６）、レーベル作成・登録制御部１０４は、選択された背景画像が表示されるように、レーベル編集画面を更新する（Ｓ８７）。
【０１３５】
Ｓ８９以降の処理については参照するシーケンス図の図面を図１１から図１２に変えて説明する。
【０１３６】
さらに、ユーザが「レイアウト」ボタンをタッチすると（Ｓ８８）、レーベル作成・登録制御部１０４は、図１５の下側部分に示した４つのレーベル編集画面（以下、本動作の説明において、単に、「４つのレーベル編集画面」と略称する）のうち最も左側のレーベル編集画面を表示部１０８に表示する（Ｓ８９）。すなわち、レーベル作成・登録制御部１０４は、背景画像を表示したまま、丸型のカーソルが新たに表示されるように、レーベル編集画面を更新する。ここで表示される丸型のカーソルは、背景画像中の印刷範囲をユーザに指定させるためのカーソルである。
【０１３７】
ユーザがカーソルを移動させることで背景画像中の印刷範囲を調整し（Ｓ９０）、「タイトル」ボタンをタッチすると（Ｓ９１）、レーベル作成・登録制御部１０４は、レーベル編集画面を更新する。すなわち、レーベル作成・登録制御部１０４は、ユーザに指定された印刷範囲に応じた画像を背景画像中から切り出し、背景画像に代えて切り出した画像を表示する（Ｓ９２）。さらに、レーベル作成・登録制御部１０４は、直近で受信したＩＤに関連付けられている録画リストを表示する（Ｓ９３）。
【０１３８】
Ｓ９３の後、ユーザは録画リスト中からレーベルに印刷するタイトルを選択する（Ｓ９４）。ユーザは、録画リスト中の全タイトルを選択することも、一部のタイトルを選択することも可能である。
【０１３９】
Ｓ９５において、レーベル作成・登録制御部１０４は、レーベル編集画面を、４つのレーベル編集画面のうち左から２番目のレーベル編集画面に更新する。すなわち、レーベル作成・登録制御部１０４は、Ｓ９４で選択したタイトルを画像中の印刷範囲内に表示する。また、図示はしていないが、レーベル作成・登録制御部１０４（特許請求の範囲の「生成手段」に対応）は、直近で受信したＩＤと、クラウドサーバのＵＲＬと、を含むテキストデータ（例えば、ＸＭＬデータ）を生成し、生成したテキストデータを２次元コード化して２次元コードの像を印刷範囲内に表示する。なお、レーベル編集画面は、ユーザが印刷範囲内の各タイトルの印刷位置および２次元コードの印刷位置を調整できるように構成されている。
【０１４０】
以上のＳ９５までの処理によりレーベルデータが完成する。Ｓ９６以降の処理については参照するシーケンス図の図面を図１２から図１３に変えて説明する。
【０１４１】
Ｓ９５の後、ユーザが「印刷」ボタンをタッチすると（Ｓ９６）、レーベル作成・登録制御部１０４は、ＬＡＮ上にあるプリンタ（プリンタ３００と同種のネットワーク対応型のプリンタ）を検索する（Ｓ９７）。すなわち、レーベル作成・登録制御部１０４は、ＬＡＮ上のネットワーク対応型の印刷機器に対して、タブレット端末１００に応答するように要求する。
【０１４２】
要求を受けたプリンタ３００を含むネットワーク対応型の各印刷機器は、その機器名を送信することで要求に対して応答する（Ｓ９８）。
【０１４３】
ユーザが、印刷するディスクをプリンタ３００に挿入し（Ｓ９９）、Ｓ９８で送信され、レーベル編集画面内に表示されるプリンタ３００の機器名を選択すると（Ｓ１００）、レーベル作成・登録制御部１０４は、レーベルデータをプリンタ３００が処理可能なプリンタイメージに変換する（Ｓ１０１）。
【０１４４】
Ｓ１０１の後、レーベル作成・登録制御部１０４は、印刷開始の要求をプリンタ３００に送信し（Ｓ１０２）、プリンタ３００は、要求を受け入れた旨の応答をタブレット端末１００に送信する（Ｓ１０３）。
【０１４５】
応答を受信したタブレット端末１００のレーベル作成・登録制御部１０４は、プリンタイメージをプリンタ３００に送信し（Ｓ１０４）、プリンタ３００は、プリンタイメージの受信を完了した旨の応答をタブレット端末１００に送信する（Ｓ１０５）。
【０１４６】
応答を受信したタブレット端末１００のレーベル作成・登録制御部１０４は、レーベル編集画面を、４つのレーベル編集画面のうち右から２番目のレーベル編集画面に更新する。すなわち、レーベル作成・登録制御部１０４は、プリンタのアイコンとともに「印刷中です」というメッセージを表示する。
【０１４７】
更新後、印刷完了を示す情報を受信するまでレーベル作成・登録制御部１０４は待機する。
【０１４８】
Ｓ１０６以降の処理については参照するシーケンス図の図面を図１３から図１４に変えて説明する。
【０１４９】
プリンタ３００は、受信したプリンタイメージの印刷を完了すると、印刷完了を示す情報をタブレット端末１００に送信する（Ｓ１０６）。
【０１５０】
印刷完了を示す情報を受信したタブレット端末１００のレーベル作成・登録制御部１０４は、表示中のメッセージを印刷が完了した旨のメッセージに更新する（Ｓ１０７）。
【０１５１】
Ｓ１０７の後、ユーザが「保存」ボタンをタッチすると（Ｓ１０８）、レーベル作成・登録制御部１０４は、直近で受信したＩＤ（個体番号）とそのＩＤに対応する録画リストとを送信することで、録画リストを、そのＩＤを含むディスクレーベル情報の一部として保存するようクラウドサーバ４００に要求する（Ｓ１０９）。
【０１５２】
要求を受け付けたクラウドサーバ４００の制御部４０４は、受信したＩＤを含むディスクレーベル情報をＤＢテーブルから検索し、検索がヒットしたディスクレーベル情報の一部として、受信した録画リストを保存し（Ｓ１１０）、録画リストの保存が完了した旨の通知をタブレット端末１００に送信する（Ｓ１１１）。
【０１５３】
通知を受信したタブレット端末１００のレーベル作成・登録制御部１０４は、Ｓ９５までの処理で作成したレーベルデータを、画像ファイルの形式のレーベルイメージ（すなわち、背景画像と各タイトルと２次元コードとで構成されているイメージ）に変換し、レーベルイメージと直近で受信したＩＤ（個体番号）とを送信することで、レーベルイメージを、そのＩＤを含むディスクレーベル情報の一部として保存するようクラウドサーバ４００に要求する（Ｓ１１２）。
【０１５４】
要求を受け付けたクラウドサーバ４００の制御部４０４は、受信したＩＤを含むディスクレーベル情報をＤＢテーブルから検索し、検索がヒットしたディスクレーベル情報の一部として、受信したレーベルイメージを保存し（Ｓ１１３）、レーベルイメージの保存が完了した旨の通知をタブレット端末１００に送信する（Ｓ１１４）。
【０１５５】
通信を受信することで、録画リストと、ＩＤと、レーベルイメージと、を関連付けてＤＢテーブルに保存する処理を完了したことを確認したレーベル作成・登録制御部１０４は、レーベル編集画面を、４つのレーベル編集画面のうち一番右側に記載されているレーベル編集画面に更新するとともに、Ｓ１０９で送信した録画リストおよびレーベルイメージを記憶部１０８から消去する。
【０１５６】
（本実施形態に係るレーベル作成管理システムの動作４）
次に、タブレット端末１００においてディスクレーベル編集アプリの起動中に、「スマート録画予約」ボタンがタッチされた場合における、本実施形態に係るレーベル作成管理システムの動作について図１６〜図１９を参照しながら説明する。図１６〜図１８は、上記動作の一部分を示すシーケンス図であり、図１９は、上記動作中におけるタブレット端末１００の表示内容を示した図である。なお、図１９（ｂ）の３つの画像は、図１９（ａ）の中で示されている番組表の表示領域の部分を拡大して示した画像である。
【０１５７】
図１６に示すように、「スマート録画予約」ボタンがタッチされると（Ｓ１４１）、ディスクレーベル編集アプリは、ＴＶ番組録画予約アプリを起動する。なお、「スマート録画予約」ボタンは、図１９（ａ）の右側部分に示されているように、トップメニュー内の「ディスクレーベルの作成」ボタンの直下にある。
【０１５８】
ＴＶ番組録画予約アプリの起動後、録画予約部１１４は、所定のＷＥＢサーバ（図示せず）からＴＶ番組表の番組情報（ｉＥＰＧデータ）を取得し（Ｓ１４２）、取得した番組情報からＴＶ番組表を作成し、ＴＶ番組表を表示部１０８に表示する（Ｓ１４３）。
【０１５９】
ユーザがＴＶ番組表から番組セルを選択すると（Ｓ１４４）、選択された番組セル内の番組のタイトルを検索するよう、クラウドサーバ４００に要求する（Ｓ１４５）。
【０１６０】
要求を受信したクラウドサーバ４００の制御部４０４は、ＤＢテーブル内の録画リストを対象として、受信したタイトルを検索する（Ｓ１４６）。そして、制御部４０４は、タイトルが検索にヒットした場合には、そのタイトルを含む各録画リストの個体番号（ＩＤ）からなるディスク個体番号列を送信し、ヒットしなかった場合には、ＮＵＬＬ値をタブレット端末１００に送信する（Ｓ１４７）。
【０１６１】
Ｓ１４８以降の処理については参照するシーケンス図の図面を図１６から図１７に変えて説明する。
【０１６２】
Ｓ１４７の処理の後、タブレット端末１００の録画予約部１１４は、ディスク個体番号列を受信したか否かを判定する（Ｓ１４８）。
【０１６３】
録画予約部１１４は、ディスク個体番号列を受信したと判定した場合、ディスク個体番号列を構成する各個体番号について、当該個体番号に対応するディスクの作成日時を示す情報を送信するよう、クラウドサーバ４００に要求する（Ｓ１４９）。なお、ここでの「ディスクの作成日時」は、「ブランクディスクの製造日時」ではなく「ユーザのオリジナルディスクの作成日時」のことを示している。
【０１６４】
要求を受けたクラウドサーバ４００の制御部４０４は、各個体番号について、当該個体番号に対応する録画リストをＤＢテーブルから読み出すとともに当該録画リスト内の最も古いダビング日時を特定する。制御部４０４は、特定した全ダビング日時を含む情報を、ディスクの作成日時を示す情報として、タブレット端末１００に送信する（Ｓ１５０）。
【０１６５】
ディスクの作成日時を示す情報を受信したタブレット端末１００の録画予約部１１４は、情報に含まれる全ダビング日時について、ダビング日時から現在の日時までの期間（対象となるＢＤがブランクディスクでなくなってから経過した期間）の長さが、所定の閾値以上であるか否かを判定する（Ｓ１５１）。
【０１６６】
録画予約部１１４は、いずれかのダビング日時からの期間の長さが所定の閾値未満であると判定した場合（録画予約しようとする番組が経年劣化していないと考えられるＢＤに、記録されている場合）には、「ユーザが選択した番組セルの番組がすでにダビング済みである」旨のメッセージを表示する（Ｓ１５２）。すなわち、録画予約部１１４は、図１９（ｂ）の３つのポップアップのうち一番左に記載されているポップアップを表示する。
【０１６７】
一方、録画予約部１１４は、全ダビング日時について、ダビング日時からの期間の長さが所定の閾値以上であると判定した場合（録画予約しようとする番組が、経年劣化していると考えられるＢＤにしか記録されていない場合）には、「ユーザが選択した番組セルの番組はディスクにダビングされているが、ディスクの作成時点から長時間経過している」旨のメッセージを表示する（Ｓ１５３）。すなわち、録画予約部１１４は、図１９（ｂ）の３つのポップアップのうち一番右に記載されているポップアップを表示する。なお、Ｓ１５２およびＳ１５３で表示される各ポップアップには「戻る」ボタンと「履歴を参照」ボタンとが含まれている。タブレット端末１００は、Ｓ１５２またはＳ１５３の処理を行った後、Ｓ１６０の処理に進む。
【０１６８】
一方、録画予約部１１４は、個体番号を受信しなかったと判定した（ＮＵＬＬ値を受信した）場合には、ユーザが選択した番組セルの番組について録画予約の登録をＢＤレコーダ２００に要求する（Ｓ１５４）。
【０１６９】
ＢＤレコーダ２００の録画・ダビング制御部２０４は、対象番組の録画予約の要求を受信し、対象番組と同一タイトルの番組の録画予約がすでに登録されているか否かを確認する（Ｓ１５５）。録画・ダビング制御部２０４は、対象番組と同一タイトルの番組の録画予約が登録されていないことを確認した場合には要求を受け入れて録画予約を登録し、対象番組と同一タイトルの番組の録画予約がすでに登録されていることを確認した場合には要求を受け入れないことを決定する。
【０１７０】
そして、録画・ダビング制御部２０４は、要求された録画予約の登録を実行したか否かを示す予約結果をタブレット端末１００に送信する（Ｓ１５６）。
【０１７１】
予約結果を受信したタブレット端末１００の録画予約部１１４は、受信した予約結果に基づいて、同一タイトルの番組について録画予約の有無を判定する（Ｓ１５７）。
【０１７２】
録画予約部１１４は、同一タイトルの番組の録画予約が存在すると判定した場合には、「同一タイトルの番組の録画予約がすでに登録されている」旨のメッセージをポップアップ表示し（Ｓ１５８）、同一タイトルの番組の録画予約が存在しないと判定した場合には、「録画予約を登録した」旨のメッセージをポップアップ表示する（Ｓ１５９）。なお、各ポップアップには「戻る」ボタンのみが含まれている。
【０１７３】
タブレット端末１００は、Ｓ１５８またはＳ１５９の処理を行った後、Ｓ１６０の処理に進む。
【０１７４】
Ｓ１６０以降の処理については参照するシーケンス図の図面を図１７から図１８に変えて説明する。
【０１７５】
ユーザがポップアップ中のボタンをタッチすると、録画予約部１１４は、ポップアップを消去し、「履歴を参照」ボタンがタッチされたか否かを判定する（Ｓ１６０）。
【０１７６】
タブレット端末１００は、「履歴を参照」ボタンがタッチされなかったと判定した場合には、Ｓ１６６の処理に進む。一方、録画予約部１１４は、「履歴を参照」ボタンがタッチされたと判定した場合には、Ｓ１６１の処理に進む。
【０１７７】
Ｓ１６１にて、録画予約部１１４は、ディスク個体番号列を送信し、個体番号毎の録画リストをクラウドサーバ４００に要求する。
【０１７８】
要求を受け付けたクラウドサーバ４００の制御部４０４は、受信したディスク個体番号列を構成する各個体番号について、対象個体番号に対応する録画リストをタブレット端末１００に送信する（Ｓ１６２）。
【０１７９】
Ｓ１６２の後、タブレット端末１００の録画予約部１１４は、個体番号毎に録画リストを表示する。具体的には、録画予約部１１４は、これまで表示されていた録画予約画面から、個体番号毎に録画リストが示され、「戻る」ボタンを含んでいる録画リスト閲覧画面に、表示する画面を切り替える。
【０１８０】
録画リスト閲覧画面が表示されている状態でユーザが「戻る」ボタンにタッチすると（Ｓ１６４）、録画予約部１１４は、再び、録画予約画面を表示する（Ｓ１６５）。
【０１８１】
Ｓ１６６において、ユーザが録画予約画面で「戻る」ボタンにタッチすると、録画予約アプリは終了し、レーベル作成・登録制御部１０４が、トップメニューを表示する（Ｓ１６７）。
【０１８２】
以上、タブレット端末１００においてディスクレーベル編集アプリの起動中に、「スマート録画予約」ボタンがタッチされた場合における本実施形態に係るレーベル作成管理システムの動作について説明した。
【０１８３】
なお、ユーザがＢＤレコーダ２００を直接操作して録画予約をしようとする場合には、本実施形態に係るレーベル作成管理システムは以下の動作を行う。
【０１８４】
すなわち、図１６に示すように、ユーザがリモコン（図示せず）の番組表ボタンを押下すると（Ｓ１２１）、ＢＤレコーダ２００の録画・ダビング制御部２０４は、チューナ２０２を通じて、ＴＶ番組表の番組情報（ＥＰＧデータ）を取得し、取得した番組情報からＴＶ番組表を作成し、ＴＶ番組表を表示装置２５０に表示する。
【０１８５】
ユーザがＴＶ番組表から番組セルを選択すると（Ｓ１２２）、録画・ダビング制御部２０４は、選択された番組セル内のタイトルを検索するよう、クラウドサーバ４００に要求する（Ｓ１２３）。Ｓ１２３〜Ｓ１３１の各処理は、Ｓ１４５〜Ｓ１５３の各処理と同様であるので、ここでは、説明を省略する。なお、Ｓ１２５におけるクラウドサーバ４００の制御部４０４の処理が特許請求の範囲の「第２応答手段」に相当する。すなわち、制御部４０４が応答として送信するＮＵＬＬ値はユーザに指定された番組の番組名を含む録画リストがクラウドサーバ４００に登録されていないことを間接的に示しており、制御部４０４が応答として送信するディスクの個体番号列はユーザに指定された番組の番組名を含む録画リストがクラウドサーバ４００に登録されていることを間接的に示している。
【０１８６】
Ｓ１３２以降の処理については参照するシーケンス図の図面を図１６から図１７に変えて説明する。
【０１８７】
Ｓ１２６においてディスク個体番号列を受信したと判定した場合、録画・ダビング制御部２０４は、Ｓ１２２で選択された番組の録画予約の登録処理を開始する（Ｓ１３２）。
【０１８８】
Ｓ１３２の後、録画・ダビング制御部２０４は、Ｓ１３２で録画予約を登録した番組と同一タイトルの番組について録画予約の有無を判定する（Ｓ１３３）。
【０１８９】
録画・ダビング制御部２０４は、同一タイトルの番組の録画予約が存在すると判定した場合には、「同一タイトルの番組の録画予約がすでに登録されている」旨のメッセージをポップアップ表示するとともに（Ｓ１３４）、Ｓ１３２の登録処理をキャンセルする。一方、録画・ダビング制御部２０４は、同一タイトルの番組の録画予約が存在しないと判定した場合には、Ｓ１３２の登録処理を完了させ、「録画予約を登録した旨」のメッセージをポップアップ表示する（Ｓ１３５）。
【０１９０】
録画・ダビング制御部２０４は、Ｓ１３４またはＳ１３５の処理の後、録画予約の動作を終了する。
【０１９１】
なお、録画・ダビング制御部２０４は、番組の録画予約が登録された場合、その番組が放送される時刻になった時点でその番組の録画を開始することは言うまでもない。
【０１９２】
（本実施形態に係るレーベル作成管理システムの動作５）
次に、タブレット端末１００においてディスクレーベル編集アプリの起動中に、「スマート録画予約」ボタンがタッチされた場合における、本実施形態に係るレーベル作成管理システムの動作について図２０および図２１を参照しながら説明する。図２０は、上記動作を示すシーケンス図であり、図２１は、上記動作中におけるタブレット端末１００の表示内容を示した図である。
【０１９３】
図２０に示すように、「ディスクラベルの参照」ボタンがタッチされると（Ｓ１４１）、ディスクレーベル編集アプリは、ダビングディスク管理アプリを起動する。なお、「ディスクラベルの参照」ボタンは、図２１の右上部分に示されているように、トップメニュー内の「スマート録画予約」ボタンの直下にある。
【０１９４】
ダビングディスク管理アプリの起動後、２次元コード復号部１１２は、撮像部１１０（カメラ）を起動する（Ｓ２１２）。
【０１９５】
Ｓ２１２の後、図２１に示されているように、ユーザが、ＢＤのレーベル面に印刷されている２次元コードが被写体となるようにタブレット端末１００を構えてシャッターボタン（図示せず）を押下すると、撮像部１１０（特許請求の範囲の「撮像手段」に対応）は、２次元コードの像を含む撮像画像を生成する（Ｓ２１４）。
【０１９６】
Ｓ２１４の後、２次元コード復号部１１２は、撮像画像内の２次元コードの像を検出し、２次元コードの像から、ディスク個体番号（ＩＤ）とＵＲＬとを復号する。（Ｓ２１５）。
【０１９７】
Ｓ２１５の後、レーベル作成・登録制御部１０４は、復号したＵＲＬによってネットワーク上の所在が示されているクラウドサーバ４００に、同じく復号したＩＤを送信する（Ｓ２１６）。
【０１９８】
ＩＤを受信したクラウドサーバ４００の制御部４０４は、受信したＩＤに関連付けられているレーベルイメージと録画リストとをＤＢテーブルから読み出して、タブレット端末１００に送信する（Ｓ２１７）。
【０１９９】
レーベルイメージと録画リストとを受信したタブレット端末１００のレーベル作成・登録制御部１０４は、レーベルイメージと録画リストとを表示部１０８に表示する（Ｓ２１８）。具体的には、レーベル作成・登録制御部１０４は、図２１の右下に示されているようなディスクレーベル参照画面を表示部１０８に表示する。
【０２００】
タブレット端末１００においてディスクレーベル編集アプリの起動中に、「スマート録画予約」ボタンがタッチされた場合における、本実施形態に係るレーベル作成管理システムの動作について説明した。
【０２０１】
なお、ユーザがＢＤレコーダ２００に録画番組がダビングされたＢＤを挿入する場合には、本実施形態に係るレーベル作成管理システムは以下の動作を行う。
【０２０２】
すなわち、ユーザがＢＤレコーダ２００に録画番組がダビングされたＢＤを挿入すると（Ｓ２０１）、再生部２１４は、ディスクの種別（ディスクがＢＤであるかＤＶＤであるか）を確認する（Ｓ２０２）。
【０２０３】
その後、再生部２１４は、ディスクの個体番号（ＩＤ）を、ディスク（例えばディスクのＢＣＡ）から読み出す（Ｓ２０３）。
【０２０４】
録画リスト通信処理部２１０は、Ｓ２０３で読み出した個体番号をクラウドサーバに送信することで、その個体番号に対応する録画リストを送信するよう、クラウドサーバ４００に要求する（Ｓ２０４）。
【０２０５】
要求を受けたクラウドサーバ４００の制御部４０４は、受信した個体番号に関連づけてＤＢテーブルに登録されている録画リストをＢＤレコーダ２００に送信する（Ｓ２０５）
録画リストを受信したＢＤレコーダ２００の録画リスト通信処理部２１０は、受信した録画リストを、Ｓ２０３で読み出した個体番号に関連付けて記憶部２０６に記録する（Ｓ２０６）。
【０２０６】
以上の動作により、ＢＤレコーダ２００は、ＢＤレコーダ２００と同種の他の録画機器（ＢＤレコーダ２００のユーザが所有する録画機器）で録画番組のダビング処理が行われたＢＤであっても、そのＢＤのＩＤと録画リストとを記憶部２０６に記録することになる。そして、ＢＤレコーダ２００は、他の録画機器で録画番組のダビング処理が行われたＢＤの録画リストを表示することができる。
【０２０７】
（タブレット端末１００の利点）
動作１の説明からわかるように、タブレット端末１００では、レーベル作成・登録制御部１０４（特許請求の範囲の「第１取得手段」に対応）が、１つ以上の録画番組がダビングされているＢＤを装着したＢＤレコーダ２００から、上記１つ以上の録画番組の各タイトルを含む録画リストを取得する。
【０２０８】
また、動作３の説明からわかるように、レーベル作成・登録制御部１０４（特許請求の範囲の「登録手段」に対応）は、ＢＤのレーベルイメージを作成し、録画リストと、レーベルイメージと、ＢＤの固有のＩＤ（個体番号）と、を関連付けてクラウドサーバ４００に登録する。
【０２０９】
さらに、動作５の説明からわかるように、２次元コードを被写体としてシャッターを切ったこと（特許請求の範囲の「ユーザの操作」「撮像操作」に対応）をトリガとして、２次元コード復号部１１２（特許請求の範囲の「復号手段」に対応）はその２次元コードからＩＤを復号し、レーベル作成・登録制御部１０４（特許請求の範囲の「表示制御手段」に対応）は、復号したＩＤに関連付けてＤＢテーブルに登録されている録画リストとレーベルイメージとのペアをクラウドサーバ４００から取得して、ペアを表示部１０８に表示してもよい。
【０２１０】
したがって、タブレット端末１００は、レーベルが付されたＢＤをプレーヤ（ＢＤレコーダ２００等）に装着せずに、ＢＤのディスクレーベルの２次元コードを被写体としてシャッターを切るだけで、ＢＤ内の全番組のタイトルを番組数に関わらず、ユーザに的確に把握させることができるという効果を奏する。
【０２１１】
（ＢＤレコーダ２００の利点）
以上のように、ＢＤレコーダ２００は、タブレット端末１００に録画リストを送信する録画リスト通信処理部２１０（特許請求の範囲の「送信手段」に対応）と、
番組の録画予約の指示に従って番組をＨＤＤに録画する録画・ダビング制御部２０４（特許請求の範囲の「録画手段」に対応）と、を備える。
【０２１２】
録画・ダビング制御部２０４は、ＨＤＤの録画番組がＢＤにダビングされた場合に、その録画番組を含むそのＢＤにダビング済みの各録画番組のタイトルを含む録画リストを生成する（特許請求の範囲の「生成手段」に対応）。
【０２１３】
録画・ダビング制御部２０４（特許請求の範囲の「照会手段」「出力手段」に対応）は、録画予約の指示を受け付けた番組のタイトルを含む録画リストがクラウドサーバ４００に登録されているか否かを、クラウドサーバ４００に照会し、照会によって、そのような録画リストがクラウドサーバ４００に登録されていることを確認した場合に、当該番組と同一タイトルの録画番組がすでにダビング済みである旨のメッセージを出力する。なお、このメッセージが当該番組と同一タイトルの番組が録画済みであることを間接的に示していることは言うまでもない。
【０２１４】
上記の構成によれば、ＢＤレコーダ２００は、ユーザが録画予約をしようとする番組と同一タイトルの録画番組がＢＤレコーダ２００と同種の他の録画機器（ＢＤレコーダ２００のユーザが所有する録画機器）でＢＤにダビングされている場合にも、ユーザが録画予約をしようとする番組と同一タイトルの番組が録画済みであることをユーザに知らせることができる。
【０２１５】
（クラウドサーバ４００の利点）
以上の記載および後述する付記事項１０の記載からわかるように、クラウドサーバ４００は、タブレット端末１００からの、録画リストと、レーベルイメージと、ＢＤに固有のＩＤ（個体番号）との登録を受け付ける制御部４０４（特許請求の範囲の「登録受付手段」に対応）を備えている。制御部４０４（特許請求の範囲の「第１応答手段」に対応）は、タブレット端末１００からの要求に応答して、１対以上の上記録画番組リストと上記画像とのペアを、タブレット端末１００に返却する。
【０２１６】
上記の構成によれば、クラウドサーバ４００は、タブレット端末１００のユーザに、ユーザがレーベルを作成した１枚以上のＢＤの各々について、ＢＤ内の全番組のタイトルを的確に把握させることができる。具体的には、クラウドサーバ４００は、タブレット端末１００で所定の操作を行うだけで、プレーヤ（ＢＤレコーダ２００等）に各ＢＤを装填する手間を必要とせずに、各ＢＤについてＢＤ内の全番組のタイトルをユーザに把握させることができる。
【０２１７】
（付記事項１）
撮像部１１０を備えるタブレット端末１００に代えて、外部のオプションとしての撮像モジュールを接続可能な構造を有するタブレット端末を用いてもよい。この場合、タブレット端末に撮像モジュールを接続することによって、そのタブレット端末は、上記実施形態で説明したタブレット端末１００の処理を実行できる。また、本発明は、タブレット端末１００に代えて、同様の機能を有するスマートフォンとしても実現できる。
【０２１８】
（付記事項２）
タブレット端末１００およびＢＤレコーダ２００が、インターネットではなく、ＮＧＮを介してクラウドサーバ４００と通信を行うように、レーベル作成管理システムが構成されていてもよい。
【０２１９】
（付記事項３）
上記実施形態では、ＢＤレコーダ２００は、ＢＤの個体番号をそのＢＤから読み出すのではなく、自装置で生成してもよい。具体的には、ＢＤのブランクディスクに録画番組をダビングするたびにそのＢＤの個体番号を生成してもよい。この場合、例えば、ＢＤレコーダ２００においてｉ回目に生成する個体番号の値をｉとしてもよい。また、ＢＤレコーダ２００に代えて、タブレット端末１００が、個体番号を生成してもよい。
【０２２０】
すなわち、ＢＤレコーダ２００は、ＢＤレコーダ２００に装填されたＢＤに対応する録画リストをＢＤにＩＤが関連付けられていない旨を示す情報とともに、タブレット端末１００に送信してもよい。タブレット端末１００は、録画リストとＩＤが関連付けられていない旨を示す情報とをＢＤレコーダ２００から受信したときに、タブレット端末１００自身でそのＢＤのＩＤを生成するとともに、生成したＩＤをＢＤレコーダ２００に送信してもよい。この場合、ＢＤレコーダ２００は、タブレット端末１００から受信したＩＤを、タブレット端末１００に送信した録画リストに関連付けて記録すればよい。
【０２２１】
（付記事項４）
図２２のブロック図が示したように、クラウドサーバ４００に代えて、通信Ｉ／Ｆ３５２、制御部３５４および記憶部３５６を含むホームサーバ４００を、レーベル作成管理システムを構成するサーバとしてもよい。通信Ｉ／Ｆ３５２、制御部３５４および記憶部３５６は、それぞれ、通信Ｉ／Ｆ４０２、制御部４０４および記憶部４０６と同一の機能を備えていてもよい。
【０２２２】
（付記事項５）
記憶部１１６、２０６、３５６、４０６は、ＨＤＤではなく、メモリ（フラッシュメモリ等）や（ソリッドステートドライブ）といった他の種類の記録媒体であってもよい。
【０２２３】
通信Ｉ／Ｆ１０２、２１２、３０２は、有線通信のＩ／Ｆであっても無線通信のＩ／Ｆであってもよい。すなわち、イーサネットカードであってもよいし、Ｂｌｕｅｔｏｏｔｈ（登録商標）モジュールであってもよいし、通信キャリアのネットワークに接続するための通信モジュール（ＰＨＳ通信モジュール、３Ｇ通信モジュール、ＷｉＭＡＸ通信モジュール、ＬＴＥ通信モジュール等）であってもよい。また、その他の種類の通信モジュールであってもよい。
【０２２４】
（付記事項６）
上記実施形態のＢＤレコーダ２００は、本発明に係る録画装置の一例に過ぎない。すなわち、本発明に係る録画装置は、着脱可能な記録媒体に番組を録画する録画装置、または、録画番組を着脱可能な記録媒体にダビングする機能を備えた録画装置として実現できる。
【０２２５】
着脱可能な記録媒体は、上記実施形態で示したＢＤ以外であってもよく、ＤＶＤ、ＣＤ、ＳＤカード（ミニＳＤカード、マイクロＳＤカード）、コンパクトフラッシュ（登録商標）カードなどの記録媒体であってもよい。
【０２２６】
表示部１０８は、液晶モニタ（透過型、半透過型または反射型）であってもよいし、有機ＥＬモニタであってもよいし、電子ペーパーであってもよい。
【０２２７】
（付記事項７）
上記実施形態では、ＢＤのレーベル面に印刷する２次元コードとしてＱＲコードを用いたが、マイクロＱＲコード（登録商標）のようなその他のマトリクス式の２次元コードであってもよいし、スタック式の２次元コードであってもよい。また、タブレット端末１００が、ＵＲＬを含まずＩＤのみを含むテキスト情報を２次元コード化して、２次元コードをＢＤのレーベル面に印刷してもよい。また、タブレット端末１００は、２次元コードに代えて、ＩＤ（固有番号）を１次元コード（バーコード）をＢＤのレーベル面に印刷し、１次元コードを認識できるように構成されていてもよい。本発明では、ＱＲコード以外にも、ＩＤ（固有番号）を含むテキスト情報を図形パターンとして示した任意の幾何学コードを用いることができる。
【０２２８】
（付記事項８）
録画予約部１１４は、Ｓ１５２およびＳ１５３において、「本当に録画予約をＢＤレコーダ２００に登録するか」を確認するメッセージ、および、録画予約を登録するための「登録」ボタンを含めてポップアップを表示部１０８（特許請求の範囲の「指示受付手段」に対応）に表示してもよい。また、Ｓ１５３においては、録画予約部１１４は、「ディスクが経年劣化している可能性があるため、録画予約をお勧めする」旨のメッセージを含めてポップアップを表示してもよい。そして、ユーザによりポップアップ内の「登録」ボタンがタッチされた場合には、録画予約部１１４は、Ｓ１６０ではなく、Ｓ１５４の処理に進むようにしてもよい。
【０２２９】
（付記事項９）
録画・ダビング制御部２０４は、Ｓ１５５において、対象番組の録画予約の要求を受信したときに、対象番組と同一タイトルの番組の録画予約がすでに登録されているか否かを確認するだけでなく、対象番組と同一タイトルの番組が記憶部２０６（ＨＤＤ）に録画済みであるか否かを確認してもよい。そして、録画・ダビング制御部２０４は、対象番組と同一タイトルの番組の録画予約が登録されておらず、尚且つ、対象番組と同一タイトルの番組が記憶部２０６に録画済みでないことを確認した場合には要求を受け入れて録画予約を登録し、それ以外の場合には要求を受け入れないことを決定してもよい。
【０２３０】
そして、録画・ダビング制御部２０４は、Ｓ１５６において、「要求された録画予約の登録を実行した」か、「対象番組と同一タイトルの番組の録画予約が登録されているため録画予約を実行しなかった」か、「対象番組と同一タイトルの番組がＨＤＤに録画済みであるため録画予約を実行しなかった」かのいずれかを示す予約結果をタブレット端末１００に送信してもよい。
【０２３１】
さらに、「対象番組と同一タイトルの番組がＨＤＤに録画済みであるため録画予約を実行しなかった」ことを示す予約結果を受信した場合、録画予約部１１４は、「ユーザが選択した番組と同名の番組がＨＤＤに録画済みである」旨のメッセージを表示してもよい。すなわち、録画予約部１１４は、図１９（ｂ）の３つのポップアップのうち中央に記載されているポップアップを表示してもよい。
【０２３２】
（付記事項１０）
上記実施形態では、タブレット端末１００のレーベル作成・登録制御部１０４は、ユーザが２次元コード（ＱＲコード）が被写体となるようにシャッターを切ったことをトリガとして、その２次元コードが表すＩＤに対応する録画リストとその２次元コードの像を含むレーベルイメージとをクラウドサーバ４００から取得して表示した。
【０２３３】
本発明はこれに限られない。例えば、タブレット端末１００は、２次元コードの像を含まないようなレーベルイメージを作成し、クラウドサーバ４００に登録してもよい。
【０２３４】
この場合、レーベル作成・登録制御部１０４は、「ディスクレーベルの参照」ボタンがタッチされたことをトリガとして、記憶部１０８に保存されている１つ以上の個体番号（ＩＤ）からなるディスク個体番号列をクラウドサーバ４００に送信してもよい。
【０２３５】
そして、クラウドサーバ４００の制御部４０４は、受信したディスク個体番号列を構成する各個体番号について、当該個体番号に関連づけてＤＢテーブルに登録されている録画リストとレーベルイメージとのペアをタブレット端末１００に送信してもよい。１対以上の録画リストとレーベルイメージとのペアを受信したタブレット端末１００のレーベル作成・登録制御部１０４は、１対以上のペアの各々を表示部１０８に表示してもよい。
【０２３６】
（付記事項１１）
レーベル作成管理システムでは、クラウドサーバが、「ディスクの個体番号」「録画リスト」「レーベルイメージ」以外にも以下の情報を含むレーベル情報をＤＢテーブルに登録してもよい。
・メディアの種別（ＢＤ、ＤＶＤ、メモリカード、その他）を示す種別情報
・記録機器のメーカー名と機器名とを示す機器情報
・録画タイトル数
・レーベル作成日時情報
・ディスク作成日時情報
具体的には、ＢＤレコーダ２００等の記録機器が、自機に装填されているメディアの種別情報および自機に関する機器情報をタブレット端末１００に送信し、タブレット端末１００が、「メディアの個体番号」「録画リスト」「レーベルイメージ」「レーベル作成日時情報」をクラウドサーバに送信すればよい。
【０２３７】
そして、クラウドサーバは、受信した録画リストに基づいて「録画タイトル数」および「ディスク作成日時情報」を確認し、「メディアの個体番号」「録画リスト」「レーベルイメージ」「レーベル作成日時情報」「ディスク作成日時情報」および「録画タイトル数」を含むレーベルイメージ情報をＤＢテーブルの新規レコードとして登録してもよい。
【０２３８】
（プログラム、記憶媒体）
タブレット端末１００（スマートフォン）、ＢＤレコーダ２００、ホームサーバ３５０、クラウドサーバ４００の各装置の各ブロックは、集積回路（ＩＣチップ）上に形成された論理回路によってハードウェア的に実現してもよいし、ＣＰＵ（Central Processing Unit）を用いてソフトウェア的に実現してもよい。
【０２３９】
後者の場合、各装置は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである対象装置の制御プログラムのプログラムコード（実行形式プログラム、中間コードプログラム、ソースプログラム）をコンピュータで読み取り可能に記録した記録媒体を、各装置に供給し、そのコンピュータ（またはＣＰＵやＭＰＵ）が記録媒体に記録されているプログラムコードを読み出し実行することによっても、達成可能である。
【０２４０】
上記記録媒体としては、非一時的な記録媒体を用いることができる。例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０２４１】
また、上記プログラムコードは、通信ネットワークを介して対象装置に供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【０２４２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２４３】
本発明は、光ディスクのディスクレーベルを作成に好適に利用することができる。
【符号の説明】
【０２４４】
１００                      タブレット端末（レーベル画像管理装置）
１０２                        通信インタフェース（通信Ｉ／Ｆ）
１０４                        レーベル作成・登録制御部
１０６                        再生部
１０８                        表示部
１１０                        撮像部
１１２                        ２次元コード復号部
１１４                        録画予約部
１１６                        記憶部
２００                      ＢＤレコーダ（録画装置）
２０２                        チューナ
２０４                        録画・ダビング制御部
２０６                        記憶部
２０８                        ＢＤドライブ部
２１０                        録画リスト通信処理部
２１２                        通信インタフェース（通信Ｉ／Ｆ）
２１４                        再生部
２５０                      表示装置
２７０                      Ｗｉｆｉルータ
３００                      プリンタ
３０２                        通信インタフェース（通信Ｉ／Ｆ）
３０４                        印刷部
３５０                      ホームサーバ（画像管理装置）
３５２                        通信インタフェース（通信Ｉ／Ｆ）
３５４                        制御部
３５６                        記憶部
４００                      クラウドサーバ（画像管理装置）
４０２                        通信インタフェース（通信Ｉ／Ｆ）
４０４                        制御部
４０６                        記憶部
５００                      インターネット
【図１】
2014022955.tif 000003
【図２】
2014022955.tif 000004
【図３】
2014022955.tif 000005
【図４】
2014022955.tif 000006
【図５】
2014022955.tif 000007
【図６】
2014022955.tif 000008
【図７】
2014022955.tif 000009
【図８】
2014022955.tif 000010
【図９】
2014022955.tif 000011
【図１０】
2014022955.tif 000012
【図１１】
2014022955.tif 000013
【図１２】
2014022955.tif 000014
【図１３】
2014022955.tif 000015
【図１４】
2014022955.tif 000016
【図１５】
2014022955.tif 000017
【図１６】
2014022955.tif 000018
【図１７】
2014022955.tif 000019
【図１８】
2014022955.tif 000020
【図１９】
2014022955.tif 000021
【図２０】
2014022955.tif 000022
【図２１】
2014022955.tif 000023
【図２２】
2014022955.tif 000024
【図２３】
2014022955.tif 000025